(57)【要約】【課題】複数の記録媒体に渡って画像が記録されていても、どの画像がどの記録媒体に記録されているのかをユーザに分かりやすく知らせる。【解決手段】ＣＰＵ１２は、画像データを転送しない方の記録媒体４６に、現在他の記録媒体に転送されている画像データの記録履歴情報を出力する。例えば、画像１が記録媒体４６Ａへ出力されている場合、ＣＰＵ１２は、画像１が記録媒体４６Ａへ記録されたことを示す記録履歴情報を記録媒体４６Ｂへ出力して記録する。あるいは、画像２が記録媒体４６Ｂへ出力されている場合、ＣＰＵ１２は、画像２が記録媒体４６Ｂへ記録されたことを示す記録履歴情報を記録媒体４６Ａへ出力して記録する。【選択図】  図４
2008301245.tif 000002
【特許請求の範囲】
【請求項１】
撮影光学系を介して被写体像を受光し、該被写体像を示すアナログ画像信号を出力する撮像部と、
前記撮像部から出力されたアナログ画像信号をデジタル画像データに変換する変換部と、
前記変換部から出力された画像データを記録する２以上の記録媒体を含む記録部と、
前記変換部から新たに画像データが出力される毎に、前記画像データの記録先を、前記記録部に含まれる記録媒体のうち画像データを記録中でない記録媒体のうちいずれか１つに決定した上で、前記画像データを前記決定された記録先の記録媒体に出力して記録するとともに、前記画像データの記録先に決定されなかった記録媒体の少なくとも１つに対して、前記画像データの記録先に決定された記録媒体を示す記録履歴情報を出力して記録する記録制御部と、
を備える撮像装置。
【請求項２】
前記記録制御部は、前記画像データの記録先に決定されなかった記録媒体において、前記記録先の記録媒体における前記画像データの物理的な記録位置および記録容量に対応する転送領域を確保し、前記転送領域内に前記記録履歴情報を記録する請求項１に記載の撮像装置。
【請求項３】
前記記録制御部は、前記転送領域内に前記記録履歴情報で記録先が示される画像データの縮小画像を記録する請求項２に記載の撮像装置。
【請求項４】
前記記録部は３つ以上の記録媒体を含んでおり、
前記記録制御部は前記記録部の記録媒体のうち１以上の特定の記録媒体に前記記録履歴情報および前記縮小画像を記録するとともに、前記記録部の記録媒体のうち前記特定の記録媒体以外の記録媒体のうち画像データを記録中でない記録媒体のうちいずれか１つを新たな画像データの記録先に決定する請求項３に記載の撮像装置。
【請求項５】
画像データを出力するステップと、
新たに画像データが出力される毎に、前記画像データの記録先を、画像データを記録中でない記録媒体のうちいずれか１つに決定した上で、前記画像データを前記決定された記録先の記録媒体に出力して記録するとともに、前記画像データの記録先に決定されなかった記録媒体の少なくとも１つに対して、前記画像データの記録先に決定された記録媒体を示す記録履歴情報を出力して記録するステップと、
を含む画像記録方法。
【発明の詳細な説明】
【技術分野】
【０００１】
本発明は、連続的に取得される画像データの複数記録媒体への記録に関する。
【背景技術】
【０００２】
特許文献１では、撮影レンズ、絞り兼用シャッターと同駆動装置、ＣＣＤと同駆動装置を有する撮像手段と、撮像信号処理回路とデジタル映像信号を一時記憶するメモリを有する信号処理手段と、カードＩ／Ｆ、記録媒体挿入スロットＡ，Ｂを有する記録手段と、各種スイッチおよびＣＰＵを有し上記各手段を制御する制御手段とを備え、連続撮影時にはメモリ一時記憶された映像信号データを記録媒体挿入スロットＡおよびＢに装着された２枚の半導体メモリカードに各半導体メモリカードのアクセスタイムに半比例する割合で分割して転送しパラレルに記録する。
【特許文献１】特開平７−１３５５８９号公報
【発明の開示】
【発明が解決しようとする課題】
【０００３】
特許文献１では、撮影中に１コマの画像を複数の記録媒体へ分割記録し、非撮影時に分割記録されていたデータを１つの画像に合成し１つのメモリに再記録する。しかし、１つの記録メディアに全ての画像データが収まらず、データが中抜けになることをユーザが気づかない可能性がある。そこで本発明は、複数の記録媒体に渡って画像が記録されていても、どの画像がどの記録媒体に記録されているのかをユーザに分かりやすく知らせる。
【課題を解決するための手段】
【０００４】
本発明に係る撮像装置は、撮影光学系を介して被写体像を受光し、該被写体像を示すアナログ画像信号を出力する撮像部と、前記撮像部から出力されたアナログ画像信号をデジタル画像データに変換する変換部と、前記変換部から出力された画像データを記録する２以上の記録媒体を含む記録部と、前記変換部から新たに画像データが出力される毎に、前記画像データの記録先を、前記記録部に含まれる記録媒体のうち画像データを記録中でない記録媒体のうちいずれか１つに決定した上で、前記画像データを前記決定された記録先の記録媒体に出力して記録するとともに、前記画像データの記録先に決定されなかった記録媒体の少なくとも１つに対して、前記画像データの記録先に決定された記録媒体を示す記録履歴情報を出力して記録する記録制御部と、を備える。
【０００５】
この発明によると、ある記録媒体に画像を記録した際、別の記録媒体には、画像データの記録先が記録履歴情報として記録されているため、記録媒体が複数あり１つの記録媒体に画像がまとめられていなくても、ユーザは記録履歴情報を参照してどこに画像が記録されているのかが容易に分かる。
【０００６】
記録制御部は、画像データの記録先に決定されなかった記録媒体において、記録先の記録媒体における画像データの物理的な記録位置および記録容量に対応する転送領域を確保し、転送領域内に記録履歴情報を記録してもよい。
【０００７】
こうすると、画像データを１つの記録媒体にまとめる際、確保された転送領域にそのまま対応する画像データを転送して記録するだけで済み、処理が簡素化される。
【０００８】
記録制御部は、転送領域内に記録履歴情報で記録先が示される画像データの縮小画像を記録してもよい。
【０００９】
ユーザは記録履歴情報に加えて縮小画像を参照でき、どの記録媒体にどのような内容の画像データが記録されているのかを容易に把握できる。
【００１０】
記録部は３つ以上の記録媒体を含んでおり、記録制御部は記録部の記録媒体のうち１以上の特定の記録媒体に記録履歴情報および縮小画像を記録するとともに、記録部の記録媒体のうち特定の記録媒体以外の記録媒体のうち画像データを記録中でない記録媒体のうちいずれか１つを新たな画像データの記録先に決定してもよい。
【００１１】
こうすると、その特定の記録媒体の情報を参照して各画像の記録先を一覧することができる。
【００１２】
本発明に係る画像記録方法は、画像データを出力するステップと、新たに画像データが出力される毎に、画像データの記録先を、画像データを記録中でない記録媒体のうちいずれか１つに決定した上で、画像データを決定された記録先の記録媒体に出力して記録するとともに、画像データの記録先に決定されなかった記録媒体の少なくとも１つに対して、画像データの記録先に決定された記録媒体を示す記録履歴情報を出力して記録するステップと、を含む。
【発明の効果】
【００１３】
この発明によると、ある記録媒体に画像を記録した際、別の記録媒体には、画像データの記録先が記録履歴情報として記録されているため、記録媒体が複数あり１つの記録媒体に画像がまとめられていなくても、ユーザは記録履歴情報を参照してどこに画像が記録されているのかが容易に分かる。
【発明を実施するための最良の形態】
【００１４】
＜第１実施形態＞
図１は本発明の実施形態に係る電子カメラの構成を示すブロック図である。同図に示したカメラ１０は、被写体の光学像をデジタル画像データに変換して記録媒体に記録するデジタルカメラであり、静止画の記録再生機能および音声付き動画の記録再生機能を具備している。
【００１５】
カメラ１０全体の動作は、カメラ内蔵の中央処理装置（ＣＰＵ）１２によって統括制御される。 ＣＰＵ１２は、所定のプログラムに従って本カメラシステムを制御する制御手段として機能するとともに、自動露出（ＡＥ）演算、自動焦点調節（ＡＦ）演算など各種演算を実施する演算手段として機能する。
【００１６】
ＣＰＵ１２はバス１４を介してメモリ制御回路１６と接続されており、該メモリ制御回路１６はバス１８を介してＲＯＭ２０およびメモリ（ＳＤＲＡＭ）２２と接続されている。ＲＯＭ２０にはＣＰＵ１２が実行するプログラムおよび制御に必要な各種データ等が格納されている。メモリ２２はプログラムの展開領域およびＣＰＵ１２の演算作業用領域として利用されるとともに、画像データや音声データの一時記憶領域として利用される。なお、不揮発性記憶手段であるＲＯＭ２０は書き換え不能なものであってもよいし、ＥＥＰＲＯＭのように書き換え可能なものでもよい。
【００１７】
カメラ１０にはユーザが各種の指令を入力するための操作手段３０が設けられている。操作手段３０は、画質モード設定操作部３１、記録画素数設定操作部３２、動画／静止画モード選択操作部３３、シャッターボタン３４、連写モード設定操作部３５などの各種操作部を含む。
【００１８】
画質モード設定操作部３１は、撮影した画像データの記録画質（ここでは、圧縮率）を設定するための操作手段である。本例のカメラ１０では、撮影の目的に合わせて、高画質（低圧縮率） の「ＦＩＮＥ」， 標準画質の「ＮＯＲＭＡＬ」 ，高圧縮率の「ＢＡＳＩＣ 」という３種類の画質（記録圧縮率）を選択することができる。
【００１９】
記録画素数設定操作部３２は、撮影した画像データの記録画素数（画像サイズ）を設定するための操作手段である。本例のカメラ１０では、２８３２×２１２８（６Ｍ）、２０４８×１５３６（３Ｍ）、１２８０× ９６０（１Ｍ）、６４０ × ４８０（ＶＧＡ）のいずれかの記録画素数を選択できる。記録画質と記録画素数との組合せによって撮影画像のデータ量（ファイルサイズ）が変化する。
【００２０】
動画／静止画モード選択操作部３３は、動画の記録を行う「動画モード」と静止画の記録を行う「静止画モード」とを切り換えるための操作手段である。シャッターボタン３４は、撮影開始の指示を入力する操作手段であり、動画撮影においては録画開始（スタート）／停止（ストップ）ボタンとして機能し、静止画撮影においてはレリーズボタンとして機能する。シャッターボタン３４は、半押し時にＯＮするＳ１ スイッチと、全押し時にＯＮするＳ２ スイッチとを有する二段ストローク式のスイッチで構成されている。
【００２１】
連写モード設定操作部３５は、１回のシャッターボタン３４の押下操作によって静止画の連続撮影（連写）を実行する連写モードと、１回のシャッターボタン３４の押下操作によって１回の静止画撮影を実行する通常のモード（単写モード）とを切り換えるための操作手段である。
【００２２】
また、図には示されていないが、操作手段３０には、撮影モードと再生モードとを切り換えるためのモード選択手段、撮影倍率や再生倍率を変更するズーム操作手段、液晶モニタ４０にメニュー画面を表示させるメニューボタン、メニュー画面から所望の項目を選択する十字キー（カーソル移動操作手段）、選択項目の確定や処理の実行を指令するＯＫボタン、選択項目など所望の対象の消去や指示内容の取消し、あるいは１つ前の操作状態に戻らせる指令を入力するキャンセルボタンなどの操作手段も含まれる。なお、操作手段３０の中には、プッシュ式のスイッチ部材、ダイヤル部材、レバースイッチなどの構成によるものに限らず、メニュー画面から所望の項目を選択するようなユーザインターフェースによって実現されるものも含まれている。
【００２３】
操作手段３０からの操作信号はＣＰＵ１２に入力される。ＣＰＵ１２は操作手段３０からの入力信号に基づいてカメラ１０の各回路を制御し、例えば、レンズ駆動制御、撮影動作制御、画像処理制御、画像データの記録／再生制御、液晶モニタ４０の表示制御などを行う。
【００２４】
液晶モニタ４０は、撮影時に画角確認用の電子ファインダーとして使用できるとともに、記録済み画像を再生表示する手段として利用される。また、液晶モニタ４０は、ユーザインターフェース用表示画面としても利用され、必要に応じてメニュー情報や選択項目、設定内容などの情報が表示される。なお、液晶ディスプレイに代えて、有機ＥＬなど他の方式の表示装置（表示手段）を用いることも可能である。
【００２５】
カメラ１０は、複数（図では３つ）のメディアソケット（メディア装着部）４２Ａ、４２Ｂ、４２Ｃを有し、それぞれのメディアソケット４２Ａ、４２Ｂ、４２Ｃに同種または異種の記録媒体４６Ａ、４６Ｂ、４６Ｃを装着することができる。記録媒体４６の形態は特に限定されず、スマートメディア（商標）に代表される半導体メモリカード、マイクロドライブ（商標）に代表される可搬型の小型ハードディスク、磁気ディスク、光ディスク、光磁気ディスクなど種々の媒体を用いることができる。本発明の実施に際しては、記録媒体およびメディアソケットの個数は、複数であれば特に限定されない。また、画像データを記録する手段はリムーバブルメディア（カメラ１０に対して着脱自在な構造の可搬型記録媒体）に限らず、カメラ１０に内蔵された記録媒体（内部メモリ）であってもよい。
【００２６】
本カメラ１０においては、記録に用いる記録媒体４６を自動的に選択する機能を備えている。カメラ１０のメディア選択機能については後述する。
【００２７】
２つのメディアソケット４２Ａ、４２Ｂ、４２Ｃ（まとめてメディアソケット４２で表すこともある）はバス５０を介してメディアインターフェース（Ｉ／Ｆ）回路５２に接続されている。メディアＩ／Ｆ回路５２は、バス１４経由でＣＰＵ１２と接続されており、ＣＰＵ１２の指令に従い記録媒体４６の読み書きに適した入出力信号の受渡しを行うために所要の信号変換を行う。
【００２８】
各メディアソケット４２Ａ、４２Ｂ、４２Ｃは、記録媒体４６Ａ、４６Ｂ、４６Ｃの装着の有無を検出するためのメディア検知端子（不図示）を有しており、記録媒体４６の装着状態／未装着状態を示す検知信号はメディアＩ／Ｆ回路５２を経由してＣＰＵ１２に入力される。
【００２９】
また、カメラ１０はパソコンその他の外部機器と接続するための通信手段としてＵＳＢ通信回路５４を備えている。図示せぬＵＳＢケーブルを用いてカメラ１０と外部機器を接続することにより、外部機器との間でデータの受渡しが可能となる。もちろん、通信方式はＵＳＢに限らず、ＩＥＥＥ１３９４やＢｌｕｅｔｏｏｔｈ その他の通信方式を適用してもよい。外部機器との間で通信を行う通信モードについては、カメラ１０が外部機器と通信接続されることにより、自動的に他のモード（静止画撮影モード／再生モード／動画モード）に優先して設定される。
【００３０】
次に、カメラ１０の撮影機能について説明する。
【００３１】
カメラ１０は、撮影レンズ５６とＣＣＤ固体撮像素子（以下、ＣＣＤという。）５８を備えている。撮影レンズ５６は単焦点レンズであってもよいし、ズームレンズのような焦点距離可変のものでもよい。
【００３２】
撮影モードが選択されるとＣＣＤ５８を含む撮像部に不図示の電源部から電力が供給され、撮影可能な状態になる。撮影レンズ５６を通過した光は、不図示の絞り機構によって光量が調節された後、ＣＣＤ５８の受光面に結像される。ＣＣＤ５８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５８は、各フォトダイオードの電荷蓄積時間（シャッタースピード）を制御する電子シャッター機能を有している。
【００３３】
ＣＰＵ１２は、パラレル入出力回路６０を介してドライバ回路６２に指令を送り、ＣＣＤ５８の電荷蓄積時間や電荷転送を制御する。なお、ＣＣＤ５８に代えてＣＭＯＳなど他の方式の撮像素子を用いてもよい。
【００３４】
ＣＣＤ５８の受光面に結像された被写体像は、各フォトダイオードによって入射光量に応じた量の信号電荷に変換される。各フォトダイオードに蓄積された信号電荷は、ＣＰＵ１２の指令に従いドライバ回路６２から与えられる駆動パルスに基づいて信号電荷に応じた電圧信号（画像信号）として順次読み出される。
【００３５】
ＣＣＤ５８から出力された信号はアナログ処理部６４に送られ、ここで各画素ごとのＲ、Ｇ、Ｂ信号がサンプリングホールド（相関二重サンプリング処理）され、増幅された後、Ａ／Ｄ変換器６６に送られる。Ａ／Ｄ変換器６６は、順次入力するＲ、Ｇ、Ｂ信号をデジタル信号に変換して信号処理回路６８に出力する。
【００３６】
信号処理回路６８は、Ａ／Ｄ変換されたデジタル形式の画像データをＣＰＵ１２の指令に従って処理する。すなわち、信号処理回路６８は、同時化回路（単板ＣＣＤのカラーフィルタ配列に伴う色信号の空間的なズレを補間して色信号を同時式に変換する処理回路）、輝度・色差信号生成回路、ガンマ補正回路、輪郭補正回路、ホワイトバランス補正回路等を含む画像処理手段として機能するとともに音声処理手段として機能し、ＣＰＵ１２からのコマンドに従ってメモリ２２を活用しながら画像信号および音声信号を処理する。
【００３７】
信号処理回路６８に入力されたＲＧＢの画像データは、信号処理回路６８において輝度信号（Ｙ信号）および色差信号（Ｃｒ，Ｃｂ 信号）に変換されるとともに、ガンマ補正等の所定の処理が施される。信号処理回路６８で処理された画像データはメモリ２２に格納される。
【００３８】
撮像中の映像を液晶モニタ４０に出力する場合、メモリ２２から画像データが読み出され、バス１４を介して表示制御回路７０に送られる。表示制御回路７０は、入力された画像データを表示用の所定方式の信号（例えば、ＮＴＳＣ方式のカラー複合映像信号）に変換して液晶モニタ４０に出力する。
【００３９】
ＣＣＤ５８から出力される画像信号によってメモリ２２内の画像データが定期的に書き換えられ、その画像データから生成される映像信号が液晶モニタ４０に供給されることにより、撮像中の映像がリアルタイムに液晶モニタ４０に表示される。撮影者は、液晶モニタ４０に映出される映像（スルームービー画）によって撮影画角を確認できる。
【００４０】
静止画撮影モードにおいてシャッターボタン３４が押され、Ｓ１ スイッチがＯＮすると、ＣＰＵ１２はこれを検知してＡＥおよびＡＦ制御を行い、シャッターボタン３４の全押し（Ｓ２＝ＯＮ）を検知すると、記録用の画像を取り込むためのＣＣＤ露光および読み出し制御を開始する。
【００４１】
すなわち、ＣＰＵ１２は、Ｓ１ ＝ＯＮに応動して取り込まれた画像データから焦点評価演算やＡＥ演算などの各種演算を行い、その演算結果に基づいて不図示のレンズ駆動用のモータを制御して撮影レンズ５６を合焦位置に移動させるとともに、図示せぬ絞り機構を制御する。そして、Ｓ２ ＝ＯＮに応動して、画像取得時の電荷蓄積時間を制御する。
【００４２】
こうして、取り込まれた画像データは、信号処理回路６８において輝度・色差信号変換処理（ＹＣ処理）その他の所定の信号処理を経た後、圧縮伸張回路７２に送られ、ここで所定の圧縮フォーマット（例えば、ＪＰＥＧ方式） に従って圧縮される。圧縮された画像データは、メディアＩ／Ｆ回路５２を介して記録媒体４６に記録される。
【００４３】
動画／静止画モード選択操作部３３によって動画モードが選択されると、当該カメラ１０によって音声付き動画の記録が可能となる。シャッターボタン３４の押下（Ｓ２ ＝ＯＮ）によって録画動作がスタートし、もう一度シャッターボタン３４を押下（Ｓ１ ＝ＯＮ）すると動画記録作が停止する。なお、シャッターボタン３４を押下継続している期間中録画動作を行い、押下解除により録画を停止するようにしてもよい。
【００４４】
動画撮影時の音声は、カメラ１０に内蔵されたマイク７４によって検出され、その検出信号（音声信号）は、アンプ７６を介して増幅され、Ａ／Ｄ変換器７７によってデジタル信号に変換された後、信号処理回路６８に送られる。信号処理回路６８は入力された音声データを所定の信号形式に変換する。こうして生成された音声データは、画像データと共に圧縮伸張回路７２において圧縮処理され、メディアＩ／Ｆ回路５２を介して記録媒体４６に記録される。動画データは、例えば、モーション ＪＰＥＧ 形式に従って記録される。
【００４５】
モーションＪＰＥＧ方式では、ＣＣＤ５８から取得した画像データを一旦、内部のメモリ２２に記憶した後、信号処理回路６８において輝度／色差信号に変換し、１画像内でＪＰＥＧ圧縮しながら、外部の記録媒体４６に一定のフレームレート（予め設定されているフレームレート）で静止画を連続的に保存していく。なお、動画のファイル形式はモーションＪＰＥＧに限定されず、ＭＰＥＧなど他のファイル形式を適用してもよい。ＭＰＥＧ方式の場合は、フレーム内圧縮およびフレーム間圧縮を行いながら外部の記録媒体４６に連続的に記録する。
【００４６】
操作手段３０によって再生モードが選択されると、記録媒体４６に記録されている最後の画像ファイル（最後に記録されたファイル）のデータが読み出される。最後の記録に係るファイルが静止画ファイルの場合、この読み出された画像ファイルの圧縮データは、圧縮伸張回路７２を介して非圧縮のＹＣ信号に伸張され、信号処理回路６８および表示制御回路７０を介して表示用の信号に変換された後、液晶モニタ４０に出力される。これにより、当該ファイルの画像内容が液晶モニタ４０上に表示される。
【００４７】
再生対象ファイルが動画ファイルの場合には、動画の先頭フレームが代表画像として液晶モニタ４０に表示され、動画再生開始の指示を受け付ける画面になる。動画の先頭フレームが表示されている状態で操作手段３０から所定の操作を行い、動画再生を開始させると、動画ファイルの再生処理がスタートし、液晶モニタ４０に動画が表示されるとともに、信号処理回路６８において再生処理された音声データがＤ／Ａ変換器８０、アンプ８２を介してスピーカ８４に出力され、動画と同時に記録した音声も再生される。
【００４８】
静止画の一コマ再生中（動画の先頭フレーム表示中も含む。）に、十字キーの右キーまたは左キーを操作することによって、再生対象のファイルを切り換えること（順送り／逆送り）ができる。コマ送りされた位置の画像ファイルが記録媒体４６から読み出され、上記と同様にして静止画像や動画が液晶モニタ４０に再生表示される。
【００４９】
図２はカメラ１０で実施される連写撮影モード処理のフローチャートである。
【００５０】
Ｓ１１では、装着状態／未装着状態を示す検知信号がメディアＩ／Ｆ回路５２を経由してＣＰＵ１２に入力される。
【００５１】
Ｓ１２では、ＣＰＵ１２は、メディアの装着を示す検知信号が入力されたか否かを判断する。当該検知信号が入力された場合はＳ１３、入力されない場合はＲ１に進む。
【００５２】
Ｓ１３では、挿入の検知されたメディア種類を認識する。
【００５３】
Ｓ１４では、挿入の検知されたメディア種類が複数（ここでは記録媒体４６Ａおよび４６Ｂ）であるか否かを判断する。メディア種類が複数である場合はＳ１５、そうでない場合はＲ２に進む。
【００５４】
Ｓ１５では、それぞれの記録媒体４６の記録容量を確認する。
【００５５】
Ｓ１６では、それぞれの記録媒体４６の記録速度を確認する。
【００５６】
Ｓ１７では、シャッターボタン３４が半押しされたか否かを判断する。シャッターボタン３４が半押しされた場合はＳ１８、半押しされない場合はＲ３に進む。
【００５７】
Ｓ１８では、ＡＦ／ＡＥ処理を行う。
【００５８】
Ｓ１９では、シャッターボタン３４が全押しされたか否かを判断する。シャッターボタン３４が全押しされた場合はＳ２１、全押しされない場合はＳ２０に進む。
【００５９】
Ｓ２０では、シャッターボタン３４の半押しが解除されたか否かを判断する。半押しが解除された場合はＳ１７、半押しが解除されない場合はＳ１９に戻る。
【００６０】
Ｓ２１では、記録用の静止画信号取得動作を行う。
【００６１】
Ｓ２２では、取得された静止画信号に各種の処理を施し、記録用の静止画像データを作成する。
【００６２】
Ｓ２３では、得られた画像データを記録媒体４６Ａおよび４６Ｂに交互に記録する。
【００６３】
Ｓ２４では、撮影モードが解除されたか否かを判断する。撮影モードが解除された場合は本処理を終了し、解除されない場合はＳ１７に戻る。
【００６４】
Ｒ１では、メディアが装着されていない旨のエラー表示を行う。
【００６５】
Ｒ２では、装着されている記録媒体４６に画像を記録する。
【００６６】
Ｒ３は、引き続き半押しの入力を待機する。
【００６７】
図３は本処理における、記録媒体４６Ａおよび４７Ｂへのデータ記録を概念的に示す。
【００６８】
図３（ａ）に示すように、連写で得られた複数の静止画像データ１、２・・は、圧縮伸張回路７２からバス１４を介してメディアＩ／Ｆ回路５２に出力される。
【００６９】
図３（ｂ）に示すように、本処理Ｒ２では、メディアＩ／Ｆ回路５２が、これらの画像データをそのままメディアソケット４２を介して記録媒体４６Ａに転送する。この場合、転送速度よりも記録速度の方が遅いと、記録が転送に追いつかなくなる。これを解消するには、連写速度を下げて転送速度を下げるしかなく、ユーザのデメリットは大きい。
【００７０】
これに対し、  図３（ｃ）に示すように、本処理Ｓ１３では、ＣＰＵ１２がメディアＩ／Ｆ回路５２を介して、これらの画像データを交互にメディアソケット４２・４４に振り分けることで、順次転送されてくる画像データが記録媒体４６Ａ、４６Ｂに交互に出力される。例えば、記録媒体４６Ａへの画像データ１の記録中に、次の画像データ２が転送されて来た場合は、記録媒体４６Ａへ画像データ２が出力されるため、理論的には、転送速度が記録速度の２倍以下であれば両処理にタイムラグが生じない。
【００７１】
かつ、ＣＰＵ１２は、画像データを転送しない方の記録媒体４６に、現在他の記録媒体に転送されている画像データの記録履歴情報を出力する。
【００７２】
例えば、画像１が記録媒体４６Ａへ出力されている場合、ＣＰＵ１２は、画像１が記録媒体４６Ａへ記録されたことを示す記録履歴情報を記録媒体４６Ｂへ出力して記録する。あるいは、画像２が記録媒体４６Ｂへ出力されている場合、ＣＰＵ１２は、画像２が記録媒体４６Ｂへ記録されたことを示す記録履歴情報を記録媒体４６Ａへ出力して記録する。
【００７３】
これを繰り返すと、図４（ａ）に示すように、記録媒体４６Ａには、画像１、３、５・・と奇数番目に転送された画像データと、画像２の履歴情報、画像４の履歴情報、・・などの偶数番目に転送された記録履歴が格納される。そして、記録履歴情報と画像データの格納領域は、物理的に交互に連続して配置される。つまり、記録履歴情報と画像データの格納領域は、物理アドレス空間が交互になるよう連続して配置される。
【００７４】
あるいは図４（ｂ）に示すように、記録媒体４６Ａには、画像２、４、６・・と偶数番目に転送された画像データと、画像１の履歴情報、画像３の履歴情報、・・などの奇数番目に転送された記録履歴が格納される。そして、記録履歴情報と画像データの格納領域は、交互になっている。
【００７５】
これらの記録履歴情報は、「媒体Ａに画像データが入っています」などのメッセージを記述したテキストデータその他の可読的データで構成されていてもよい。
【００７６】
図５は記録媒体４６のデータをカメラ１０やパソコンなどの電子機器で読み出して表示させた場合の表示例である。
【００７７】
図５（ａ）は記録媒体４６Ａの画像データの一覧表示である。この一覧表示では、画像１、画像３・・などの記録媒体４６Ａに記録された画像データのサムネイル画像と、画像２、４、・・の記録履歴情報とが１画面中に交互に配置されている。記録媒体４６Ａには、偶数番目に転送された画像データは格納されていないため、それらのサムネイルは表示されない。その代わり、それらの画像データの格納先「記録媒体４６Ｂ」が表示されるため、別の記録媒体に画像データが記録されていることが容易に分かる。
【００７８】
図５（ｂ）は記録媒体４６Ｂの画像データの一覧表示である。この一覧表示では、画像２、画像４・・などの記録媒体４６Ｂに記録された画像データのサムネイル画像と、画像１、３、・・の記録履歴情報とが１画面中に交互に配置されている。記録媒体４６Ｂには、奇数番目に転送された画像データは格納されていないため、それらのサムネイルは表示されない。その代わり、それらの画像データの格納先「記録媒体４６Ａ」が表示されるため、別の記録媒体に画像データが記録されていることが容易に分かる。
【００７９】
図５（ｃ）は記録媒体４６Ａまたは記録媒体４６Ｂの記録履歴情報の一画面表示の例を示す。この場合、全画面をブラックアウトした画像として表示し、その一部に画像データの格納先「記録媒体４６Ｂ」が表示されるため、別の記録媒体に画像データが記録されていることが容易に分かる。
【００８０】
＜第２実施形態＞
図６は第２実施形態に係る連写撮影モード処理のフローチャートである。第１実施形態と同一の処理には同一の処理番号を付しており、説明は省略する。
【００８１】
Ｓ３１では、転送されてきた記録用の画像データ量を算出する。このデータ量は、例えば、ユーザ所望の画質レベル（非圧縮、ファイン、ノーマル、エコノミーなど）に応じた出力画像データの圧縮率から概算することができる。
【００８２】
Ｓ３２では、画像を一方の記録媒体４６に記録するとともに、当該画像のデータ格納位置とデータ量に対応するデータ記録領域（転送領域）を他方の記録媒体４６に確保する。そして、確保した転送領域に記録履歴情報を記録し、残りは空き領域のまま確保しておく。ただし、確保した転送領域全てを記録履歴情報で満たしてもよい。
【００８３】
転送領域の確保は画像が出力されるごとに行われ、画像データと転送領域は、物理的に交互に連なって配置されている。
【００８４】
Ｓ３３は、Ｓ２４と同様である。
【００８５】
上記の処理の結果、図７に示すように、記録媒体４６Ａには、画像１、３、５・・と奇数番目に転送された画像データと、画像２の履歴情報、画像４の履歴情報、・・などの偶数番目に転送された記録履歴が格納される。そして、記録履歴情報と画像データの格納領域は、物理的に交互に配置されている。また、記録媒体４６Ａには、画像２、４、６・・と偶数番目に転送された画像データと、画像１の履歴情報、画像３の履歴情報、・・などの奇数番目に転送された記録履歴が格納される。そして、記録履歴情報と画像データの格納領域は、物理的に交互に配置されている。さらに、一方の転送領域と他方の画像記憶領域の容量は同じであり、物理的位置も対応づけられている。
【００８６】
なお、予め互いの物理アドレスの対応関係をマッピングしておけば、記録媒体４６Ａ・４６Ｂの媒体の種類が同一でなくても対応づけは可能である。一方の容量が他方よりも少ない場合は、多い方の記憶容量が少ない方を超えないよう制限をかけて、対応関係の破綻を防止してもよい。
【００８７】
こうすると、２つの記録媒体４６Ａ、４６Ｂのうち一方に記録された画像を他方の記録媒体４６に移動してひとまとめにする場合、一方の記録媒体で確保した領域に他方の記録媒体の画像データをそのまま移行させるだけで済む。なお、記録媒体間でのデータ移動によるデータ統合は、例えば特許文献１のようにするか、あるいは下記の画像転送処理のようにする。
【００８８】
図８はカメラ１０の実行する画像転送処理のフローチャートである。
【００８９】
Ｓ５１では、記録媒体４６Ａから４６Ｂに画像を転送して統合するか、あるいは記録媒体４６Ｂから４６Ａに画像を転送して統合するかをユーザに選択させる。記録媒体４６Ａから４６Ｂに画像を転送することが選択された場合はＳ５２に進み、記録媒体４６Ｂから４６Ａに画像を転送することが選択された場合はＳ５４に進む。
【００９０】
Ｓ５２では、記録媒体４６Ｂの記録履歴情報を削除する。
【００９１】
Ｓ５３では、記録媒体４６Ａの画像データを、記録媒体４６Ｂの対応する空き領域に転送して記録する。
【００９２】
Ｓ５４では、記録媒体４６Ａの記録履歴情報を削除する。
【００９３】
Ｓ５３では、記録媒体４６Ｂの画像データを、記録媒体４６Ｂの対応する空き領域に転送して記録する。
【００９４】
Ｓ５６では、全画像の転送と記録が正常に完了したか否かを判断する。正常に完了した場合は本処理を終了する。正常に完了しなかった場合はＳ５７に進み、その旨をエラー表示する。  
【００９５】
つまり、一方の記録媒体４６に確保された転送領域に、対応する他の記録媒体４６の画像データを格納して画像データを１つの媒体に統合する。転送領域と転送される画像データの記録領域と容量は物理的に対応関係にあるから、画像の転送が高速化できる。
【００９６】
＜第３実施形態＞
図９は第３実施形態に係る連写撮影モード処理のフローチャートである。
【００９７】
Ｓ６１〜Ｓ７２は、Ｓ１〜Ｓ２２と同様である。
【００９８】
Ｓ７３では、転送された画像データからサムネイル画像を作成する。
【００９９】
Ｓ７４は、Ｓ３１と同様である。
【０１００】
Ｓ７５では、画像を一方の記録媒体４６に記録するとともに、当該画像の物理的データ格納領域およびデータ量に対応する転送領域を他方の記録媒体４６に確保する。そして、確保した転送領域に記録履歴情報とサムネイル画像を記録し、残りは空き領域のまま確保しておく。ただし、確保した領域全てを記録履歴情報とサムネイル画像で満たしてもよい。
【０１０１】
領域の確保は画像が転送されるごとに行われ、画像データと確保領域は、物理的に交互に連なっている。
【０１０２】
この結果、図１０に示すように、記録媒体４６Ａには、画像１、３、５・・と奇数番目に転送された画像データと、画像２の履歴情報、画像４の履歴情報、・・などの偶数番目に転送された画像記録履歴および当該画像記録履歴で示される本体画像に対応するサムネイル画像が格納される。そして、記録履歴情報と画像データの格納領域は、物理的に交互に配置されている。また、記録媒体４６Ｂには、画像２、４、６・・と偶数番目に転送された画像データと、画像１の履歴情報、画像３の履歴情報、・・などの奇数番目に転送された画像記録履歴および当該画像記録履歴で示される本体画像に対応するサムネイル画像が格納される。そして、記録履歴情報と画像データの格納領域は、物理的に交互に配置されている。さらに、一方の転送確保領域と他方の画像記憶領域の容量は同じであり、一方の記録媒体における画像の記録領域と、他方の記録媒体４６に確保された当該画像の転送領域との物理的位置が対応づけられている。
【０１０３】
一方の記録媒体の記録履歴情報とサムネイルで他方の記録媒体にどのような画像が記録されているかが容易に把握できる。
【０１０４】
図１１はカメラ１０の実行する画像転送処理のフローチャートである。
【０１０５】
Ｓ８１は、Ｓ５１と同様である。
【０１０６】
Ｓ８２では、記録媒体４６Ｂの記録履歴情報とサムネイルを削除する。
【０１０７】
Ｓ８３は、Ｓ５１と同様である。
【０１０８】
Ｓ８４では、記録媒体４６Ａの記録履歴情報とサムネイルを削除する。
【０１０９】
Ｓ８５〜Ｓ８７は、Ｓ５５〜Ｓ５７と同様である。
【０１１０】
＜第４実施形態＞
記録媒体４６が３つの以上の場合、少なくとも１つの記録媒体４６は記録履歴情報（より好ましくは記録履歴情報およびサムネイル）の記録専用とし、その他の少なくとも２つの記録媒体４６は本体画像データ記録専用にするとよい。
【０１１１】
例えば図１２に示すように、記録媒体４６Ａと記録媒体４６Ｂには順次到来する画像データを交互に記録していき、かつ、記録媒体４６Ｃには、各本体画像の記録履歴情報とサムネイル画像を連続して記録していく。
【０１１２】
例えば、記録媒体４６Ｃだけをパソコンのカードスロットに挿入し、記録媒体４６Ｃのデータの再生が指示された場合、図１３に示すように、全画面をブラックアウトした画像として表示し、その一部に画像データの格納先「記録媒体４６Ａ」あるいは「記録媒体４６Ｂ」を記録履歴情報に従って表示する。こうすると、どの記録媒体に画像データが記録されているのかが容易に分かる。
【図面の簡単な説明】
【０１１３】
【図１】カメラの内部構成を示すブロック図
【図２】第１実施形態に係る連写撮影モード処理のフローチャート
【図３】記録媒体４６Ａおよび４６Ｂへの画像データ記録を概念的に示す図
【図４】記録媒体４６Ａおよび４６Ｂへの画像データと記録履歴情報の物理的配置を概念的に示す図
【図５】記録媒体４６のデータをカメラ１０やパソコンなどの電子機器で読み出して表示させた場合の表示例
【図６】ユーザ登録と撮影時の画像転送の流れを示すフローチャート
【図７】記録媒体４６Ａおよび４６Ｂへの画像データと記録履歴情報の物理的配置を概念的に示す図
【図８】第２実施形態に係る画像転送処理のフローチャート
【図９】第３実施形態に係る連写撮影モード処理のフローチャート
【図１０】記録媒体４６Ａおよび４６Ｂへの画像データと記録履歴情報の物理的配置を概念的に示す図
【図１１】画像転送処理のフローチャート
【図１２】記録媒体４６Ａ、４６Ｂおよび４６Ｃへの画像データと記録履歴情報の物理的配置を概念的に示す図
【図１３】第４実施形態に係る画像転送処理のフローチャート
【符号の説明】
【０１１４】
１２：ＣＰＵ、４６：記録媒体、５８：ＣＣＤ
【図１】
2008301245.tif 000003
【図２】
2008301245.tif 000004
【図３】
2008301245.tif 000005
【図４】
2008301245.tif 000006
【図５】
2008301245.tif 000007
【図６】
2008301245.tif 000008
【図７】
2008301245.tif 000009
【図８】
2008301245.tif 000010
【図９】
2008301245.tif 000011
【図１０】
2008301245.tif 000012
【図１１】
2008301245.tif 000013
【図１２】
2008301245.tif 000014
【図１３】
2008301245.tif 000015